(57)【要約】【課題】十分な吸水量を確保でき、タオル生地の使い勝手がよく、広狭いずれの場所の水滴も効率よく安全に拭き取ることができる水滴拭き取り具を提供する。【解決手段】  ２枚重ねの横長矩形のタオル生地１０に、複数の袋部２１〜２４を形成する。タオル生地１０の開放側の長辺部１２にテープ状の縁取り材５０を縫着し、この縁取り材５０に、面ファスナー要素に対して着脱可能な機能を付与しておく。【選択図】図１
0003232436.tif 000002
【実用新案登録請求の範囲】
【請求項１】
タオル生地を使用した水滴拭き取り具であって、
２枚重ねの横長矩形のタオル生地に備わっている一方側の長辺部と左右両側の短辺部とが閉塞され、かつ、左右両側の上記短辺部の中間部の１箇所又は複数箇所で、２枚重ねの上記タオル生地が上記短辺部に平行な線状の結合部によって結合されていることによって、上記タオル生地に、他方側の長辺部で開放されてその開放箇所から手を挿入することのできる複数の袋部が形成されていることを特徴とする水滴拭き取り具。
【請求項２】
２枚重ねの上記タオル生地に備わっている一方側の長辺部が当該タオル生地の折り返し箇所によって閉塞され、左右両側の短辺部が２枚重ねの当該タオル生地を縫着することによって閉塞され、左右両側の上記短辺部の中間部の結合部が線状の縫着処理によって形成されている請求項１に記載した水滴拭き取り具。
【請求項３】
横長矩形の上記タオル生地の左右方向の４箇所に上記袋部が形成されている請求項１又は請求項２に記載した水滴拭き取り具。
【請求項４】
上記タオル生地における他方側の上記長辺部において、生地の耳縁がテープ状の縁取り材で覆われている請求項１ないし請求項３のいずれか１項に記載した水滴拭き取り具。
【請求項５】
上記縁取り材に、持ち手を有する柄に装着された面ファスナー要素に対して着脱可能な機能が付与されている請求項４に記載した水滴拭き取り具。
【請求項６】
２枚重ねの上記タオル生地は、外面と内面のうちの外面のみがパイル状の毛足で覆われている請求項１ないし請求項５のいずれか１項に記載した水滴拭き取り具。
【考案の詳細な説明】
【技術分野】
【０００１】
本考案は、水滴拭き取り具、特にタオル生地を使用した水滴拭き取り具に関する。
【背景技術】
【０００２】
洗車後に行われる水滴の拭き取りにタオル生地を使用することは従来より多々行われている。また、ワゴン車の屋根などに残っている水滴を拭き取るときなどに使用される水滴拭き取り器として、グリップを有するシャフトに拭き取りクロスを装着したものが知られている（特許文献１参照）。また、車体やガラスなどに付着している水滴の拭き取り作業に、吸水性に優れたマイクロファイバークロスを利用できることも知られている（特許文献２参照）。
【０００３】
一方、タオルの取扱性を高めるための工夫として、横長矩形のタオルの左右両端部に、手を挿入することのできるポケット部を形成したり（特許文献３、特許文献４参照）、２枚重ねのタオルの両端縁部を縫製（ヘム縫い）することによって、多用途に対応できる多用途タオルが提案されている（特許文献５参照）。
【先行技術文献】
【特許文献】
【０００４】
【特許文献１】特開平９−２９５５５９号公報
【特許文献２】実登第３２２６１６６号公報
【特許文献３】実登第３１０９３１６号公報
【特許文献４】実開平１−１０３３９０号公報
【特許文献５】実登第３１９８１３８号公報
【考案の概要】
【考案が解決しようとする課題】
【０００５】
しかしながら、車体に残った水滴の拭き取りに汎用的な横長矩形の一枚物のタオルを使用すると、タオルの両端を左右の手で掴んで横長に拡げたタオルを車体のボンネットやルーフの広い範囲に重ね合わせて水滴を拭き取りたいときに、タオルが縒れてボンネットやルーフの塗装面にうまく重ならずに効率の悪い拭き取り作業を強いられたり、時間のかかる拭き取り作業を強いられたりすることがある。また、タオルで自動車の格子状のグリルやサイドバイザーなどの狭い場所に残った水滴を拭き取るようなときには、狭い場所での拭き取り作業になるために作業自体に困難を伴うだけでなく、タオルを掴んでいる手の甲や指先、爪などがグリルや車体などに直接当たって怪我をしたりするおそれもある。
【０００６】
これに対し、特許文献３や特許文献４に見られるようなポケット部を形成したタオルは、ポケット部に手を挿入してそのタオルを横長に拡げることができるため、これを洗車後の水滴の拭き取りに使用すると、広い場所の水滴をタオル全体を使って拭き取りやすいということが云える。また、手がポケット部によって覆われるために、指先や爪などがポケット部により保護されて狭い場所での使用でも怪我をするおそれが少ないということも云える。しかしながら、これらの特許文献３や特許文献４では、一枚物のタオルを使用していることにより、水分の吸水量がそれほど多くならず、拭き取り作業中に頻繁にタオルを絞って水分を絞り出す必要があるために面倒で効率の悪い拭き取り作業を行うことを余儀なくされる。
【０００７】
特許文献５の多用途タオルは、タオルを筒形に形作っているので、タオルに挿入した左右の両手でタオルを拡げて広い場所の水滴を効率よく拭き取ることができるけれども、拭き取り作業中に手が滑って手がタオルから突き出したりするおそれがある。このため、拭き取り作業の効率が低下したり、タオルから突き出た手が車体に当たって怪我をしたりする危険性がある。
【０００８】
本考案は以上の状況に鑑みてなされたものであり、２枚重ねのタオル生地を使用することによって水滴を拭き取るための十分な吸水量を確保することができるようにした上で、タオル生地に手を挿入することのできる袋部を設けることによって、拭き取り作業中に手が滑ってタオル生地から突き出るという事態を起こりにくくし、しかも、広狭いずれの場所の水滴も効率よく安全に拭き取ることのできる水滴拭き取り具を提供することを目的とする。また、手の届きにくいような車体のルーフに残っている水滴も楽に拭き取れるような使用が可能な水滴拭き取り具を提供することを目的とする。
【課題を解決するための手段】
【０００９】
本考案に係る水滴拭き取り具は、タオル生地を使用した水滴拭き取り具であって、２枚重ねの横長矩形のタオル生地に備わっている一方側の長辺部と左右両側の短辺部とが閉塞され、かつ、左右両側の上記短辺部の中間部の１箇所又は複数箇所で、２枚重ねの上記タオル生地が上記短辺部に平行な線状の結合部によって結合されていることによって、上記タオル生地に、他方側の長辺部で開放されてその開放箇所から手を挿入することのできる複数の袋部が形成されている、というものである。
【００１０】
このように構成された水滴拭き取り具によると、２枚重ねのタオル生地によって多くの吸水量が確保されるだけでなく、袋部に手を挿入するとタオル生地と手が一体化するために、力を入れずにタオル生地を楽にコントロールすることができるようになるだけでなく、指先でグリルなどの狭い隙間を拭き取ることができるようになり、水滴の拭き取り作業時の使い勝手が向上する。また、袋部に挿入した手でタオル生地を横長に拡げて使用することができるために、使用中に手がタオル生地から滑って袋部から突き出すといった危険を伴うことがない。折り畳んだタオル生地の袋部に手を挿入して拭き取り作業を行うと吸水量がさらに多くなる。
【００１１】
本考案では、２枚重ねの上記タオル生地に備わっている一方側の長辺部が当該タオル生地の折り返し箇所によって閉塞され、左右両側の短辺部が２枚重ねの当該タオル生地を縫着することによって閉塞され、左右両側の上記短辺部の中間部の結合部が線状の縫着処理によって形成されている、という構成を採用することが可能である。これによると、サイズの大きな矩形ないし方形のタオル生地を２つ折りして左右の両端部や中間部を縫着することにより、容易かつ安価に水滴拭き取り具を製作することができるようになる。
【００１２】
本考案では、横長矩形の上記タオル生地の左右方向の４箇所に上記袋部が形成されている、という構成を採用することが可能である。これによると、手を挿入する袋部を４箇所の袋部から選択することができる。また、縫着処理によって形成されている線状の結合部が、２枚重ねのタオル生地が開いてしまうことを防止することに役立つので、タオル生地の２枚重ね形状が保たれやすくなり、それだけ拭き取り作業を行いやすくなる。
【００１３】
本考案では、上記タオル生地における他方側の上記長辺部において、生地の耳縁がテープ状の縁取り材で覆われていることが望ましい。これによれば、タオル生地が、他方側の長辺部の開放箇所でほつれることがなくなって耐用性が向上する。
【００１４】
本考案では、上記縁取り材に、持ち手を有する柄に装着された面ファスナー要素に対して着脱可能な機能が付与されていることが望ましい。これによると、手の届かない場所に残っている水滴を拭き取るときに、柄に装着された面ファスナー要素に縁取り材を装着して使用することが可能になる。
【００１５】
本考案において、２枚重ねの上記タオル生地は、外面と内面のうちの外面のみがパイル状の毛足で覆われている、という構成を採用することが可能である。これによれば、パイル状の毛足で覆われている吸水性に優れるタオル生地の外面が多量の水滴を吸水して濡れても、内面はそれほど吸水しないためにべとつかず、このことが使い勝手を向上させることに役立つ。
【考案の効果】
【００１６】
以上のように、本考案に係る水滴拭き取り具によれば、２枚重ねのタオル生地によって水滴を拭き取るための十分な吸水量を確保することができ、タオル生地に手を挿入することのできる袋部を設けたことによってタオル生地の取扱性や拭き取り作業の安全性が改善されるという効果が奏される。特に、タオル生地の左右方向の４箇所に袋部を形成しておくと、４箇所の袋部から手を挿入する袋部を任意に選択することができるため、タオル生地を横長に拡げて拭き取り作業をしたりタオル生地をコンパクトに折り畳んで拭き取り作業をしたりするときの取扱性が向上する。また、持ち手を有する柄にタオル生地の縁取り材を装着できるようにすることによって、手の届かない場所の拭き取りも楽に行えるようになる。そのほか、２枚重ねのタオル生地の外面のみがパイル状の毛足で覆われているものでは、拭き取り作業中にタオル生地の内面が濡れにくいために使い勝手が向上するという効果が奏される。
【図面の簡単な説明】
【００１７】
【図１】本考案の実施形態に係る水滴拭き取り具を説明的に示した平面図である。
【図２】水滴拭き取り具に使用されているタオル生地の側面視説明図である。
【図３】タオル生地の初期形状の平面視説明図である。
【図４】初期形状のタオル生地を２つ折りした状態の側面視説明図である。
【図５】左右の短辺部に耳縫いを施した状態での平面視説明図である。
【図６】製作後の水滴拭き取り具の平面視説明図である。
【図７】使用形態の平面視説明図である。
【図８】他の使用形態の斜視説明図である。
【図９】他の実施形態に係る水滴拭き取り具の使用状態を例示した平面視説明図である。
【図１０】柄に水滴拭き取り具を装着する際の初期段階の平面視階説明図である。
【図１１】柄に水滴拭き取り具を装着した状態の正面視説明図である。
【図１２】２つの袋部を形成した水滴拭き取り具の平面視説明図である。
【図１３】図１２の水滴拭き取り具の変形例の平面視説明図である。
【図１４】３つの袋部を形成した水滴拭き取り具の平面視説明図である。
【考案を実施するための形態】
【００１８】
図１は本考案の実施形態に係る水滴拭き取り具１００を説明的に示した平面図、図２は水滴拭き取り具に使用されているタオル生地の側面視説明図である。
【００１９】
水滴拭き取り具１００にはタオル生地１０が使用されている。タオル生地１０は２枚重ねになっていて、展開状態では横長矩形の形状を有している。そして、２枚重ねのタオル生地１０に備わっている一方側の長辺部１１と左右両側の短辺部１３，１４とが閉塞され、かつ、左右両側の短辺部１３，１４の中間部の等間隔おきの３箇所で、２枚重ねのタオル生地１０が短辺部１３，１４に平行な線状の結合部１５，１６，１７によって結合されている。これにより、２枚重ねのタオル生地１０に、他方側の長辺部１２で開放されてその開放箇所から手を挿入することのできる４つの等幅の袋部２１，２２，２３，２４が形成されている。図２に説明的に示したように、タオル生地１０は、ベース地３１の一方側の面が超長極細繊維（マイクロファイバー）にツイスト加工を施すことによって形成されたパイル状の毛足３２で覆われているのに対して、他方側の面には上記のような毛足が形成されていない。そして、図１に示した２枚重ねのタオル生地１０においては、外面の全体が上記したパイル状の毛足３２（図２参照）で覆われ、内面には図２に示したベース地３１の表面がそのまま相当している。
【００２０】
図３〜図６は水滴拭き取り具１００の製作手順の一例を例示していて、図３はタオル生地１０の初期形状の平面視説明図、図４は初期形状のタオル生地１０を２つ折りした状態での側面視説明図、図５は左右の短辺部１３，１４に耳縫いを施した状態での平面視説明図、図６は製作後の水滴拭き取り具１００の平面視説明図である。
【００２１】
ここで例示した製作手順では、最初の段階で、図３に示したようなサイズの大きな矩形のタオル生地１０を、同図に一点鎖線で示した折り返し箇所４１で２つ折りに折り返して図４のように端縁同士を合わせ、次の段階で、図５のように横長矩形のタオル生地１０の左右の端縁を耳縫いする。図５において、符号４２，４３は耳縫い箇所の縫い目を示している。次の段階では、タオル生地１０の左右の端縁を耳縫いしたタオル生地１０（図５参照）を裏返して縫い目４２，４３をタオル生地１０の内側に隠し、その後、図６のように、左右両側の縫い目４２，４３の中間部の等間隔おきの３箇所を縫着する。符号４４，４５，４６は３箇所の縫い目を示している。以上において、折り返し箇所４１は、２枚重ねのタオル生地１０に備わっている一方側の長辺部１１での閉塞箇所に相当し、符号４２，４３で示した縫い目は、２枚重ねのタオル生地１０に備わっている左右両側の短辺部１３，１４での閉塞箇所に相当し、符号４４，４５，４６で示した縫い目は、２枚重ねのタオル生地１０の左右両側の短辺部１３，１４の中間部の等間隔おきの３箇所に形成された線状の結合部１５，１６，１７に相当している。この製作手順に従うと、図１で説明した水滴拭き取り具１００を容易かつ安価に製作することができる。なお、図２に示した毛足３２は、タオル生地１０の左右の端縁を耳縫いしたタオル生地１０を裏返したときにタオル生地１０の外面側に現れるようにすることは勿論である。
【００２２】
この実施形態では、タオル生地１０における他方側の長辺部１２は、タオル生地１０の耳縁に縫着されたテープ状の縁取り材５０で覆われている。縁取り材５０には、たとえばバイアステープを好適に用いることが可能である。この縁取り材５０は、図６に示した中間部を縫着するときに形成される縫い目４４，４５，４６によってもタオル生地１０の他方側の長辺部１２に縫着されている。この縁取り材５０は、タオル生地１０が他方側の長辺部１２の開放箇所でほつれたりすることを防ぐことに役立つ。
【００２３】
以上説明した実施形態では、２枚重ねのタオル生地１０に備わっている一方側の長辺部１１が当該タオル生地１０の折り返し箇所４１によって閉塞され、左右両側の短辺部１３，１４が２枚重ねのタオル生地１０を縫着した縫い目４２，４３によって閉塞され、左右両側の短辺部１３，１４の中間部の結合部１５，１６，１７が線状の縫着処理によって形成された縫い目４４，４５，４６によって閉塞されているけれども、この点は、たとえば、別々の２枚のタオル生地を重ね合わせた状態で、一方の長辺部と、左右両側の短辺部と、左右両側の短辺部の中間部とを、それぞれ縫着して閉塞するようにしてもよい。
【００２４】
上記した構成を備える水滴拭き取り具１００は、洗車後に車体に残った水滴の拭き取り作業に好適に利用することができる。
【００２５】
たとえば、図７の使用形態の平面視説明図で示したように、水滴拭き取り具１００の４つの袋部２１〜２４のうちの左右の端にある２つの袋部２１，２４に左手と右手とをそれぞれ挿入して矢印のように左右に引っ張ると、タオル生地１０がまっすぐに横に拡がる。こうして横に拡がったタオル生地１０を、車体のボンネットやルーフ、窓ガラスといった曲面に軽く押し付けた状態で重ね合わせて滑らせると、それだけでボンネットやルーフ、窓ガラスなどの広い範囲に残っている水滴がタオル生地１０によって拭き取られる。特に、この実施形態では、タオル生地１０の外面が超長極細繊維にツイスト加工を施すことによって形成されたパイル状の毛足３２で覆われていることにより、タオル生地１０が高い吸水性を発揮して広い範囲の水滴を一回の拭き取りによってタオル生地１０に吸水させることができるようになる。その反面で、タオル生地１０の内面にはベース地３１の毛足で覆われていない表面がそのまま相当しているために、手を挿入している２つの袋部２１，２４の内側が吸水した水でべとつくような状況が生じにくくなり、このことが、拭き取り作業を楽に効率よく行うことに役立つ。また、タオル生地１０が２枚重ねになっていることにより多くの吸水量が確保されるだけでなく、袋部２１，２４に挿入した手が、使用中に袋部２１，２４から突き出して車体に当たって怪我をするといった危険も伴わない。すなわち、手が袋部２１，２４によって防護されることになる。その上、４箇所に袋部２１〜２４を形成するために必要な線状の縫着処理によって形成されている結合部１５，１６，１７が、２枚重ねのタオル生地１０が開いてしまうことを防止することに役立つので、タオル生地１０の２枚重ね形状が保たれやすくなり、それだけ拭き取り作業を行いやすくなる。
【００２６】
また、水滴拭き取り具１００の４つの袋部２１〜２４のうちの任意の１つ又は２つの袋部２１〜２４に左手又は右手を挿入して、車体のグリルの狭い空隙にタオル生地１０を差し入れて指先で水滴を拭き取ったり、サンバイザーをタオル生地１０で挟んで滑らせることによりサンバイザーの両面の水滴を一度に拭き取ったりすることも可能であり、これらの場合にも、袋部２１〜２４のいずれかに挿入した手が、使用中に袋部から突き出して車体に当たって怪我をするといった危険を伴わない。
【００２７】
さらに、図８の他の使用形態の斜視説明図で示したように、タオル生地１０を折り重ねて肉厚を厚くし、いずれかの袋部（図例では袋部２１）に手を挿入して使用することも可能である。この使用形態によると、タオル生地１０の肉厚の増加に応じて吸水量が増加するので、車体に残っている水滴の量が多い場所でも拭き取り作業を短時間で楽に効率よく安全に行うことができる。
【００２８】
図９は他の実施形態に係る水滴拭き取り具１００の使用状態を例示した平面視説明図である。この実施形態では、上記した縁取り材５０に、面ファスナー要素に対して着脱可能な機能が付与されている。周知のように、面ファスナーは、面的に着脱できるファスナーであり、一般的な面ファスナーは、フック状に起毛された一方側部材と密集してループ状に起毛された他方側部材とを互いに押し付けることによって一方側及び他方側の部材が貼り付くようになっており、貼り付けたり剥がしたりすることも自在にできる。これ以外にも、フックとループ両方がそれぞれの部材に植え込まれていて、フック面とループ面との区別のないタイプのもの、マッシュルーム状に起毛されていて結合力が強いクリックタイプのもの、鋸歯状のシャークバイト（鮫歯）タイプのものなどがある。したがって、上記のように、縁取り材５０に、面ファスナー要素に対して着脱可能な機能が付与されていると、図９のように、持ち手６１を有する柄６０に装着された面ファスナー要素６２に、水滴拭き取り具１００の縁取り材５０を装着して水滴拭き取り具１００を使用することが可能である。図９の柄６０は伸縮機能を有していて、面ファスナー要素６２は柄６０の先端側に巻き付け固定されている。なお、面ファスナー要素に対して着脱可能な機能を持つ縁取り材５０としては、たとえば網目を有するバイアステープを使用することが可能である。
【００２９】
図１０及び図１１は、持ち手６１を有する柄６０に装着された面ファスナー要素６２に水滴拭き取り具１００の縁取り材５０を装着する手順の一例を示している。この事例では、図１０に示した初期段の平面視階説明図のように、最初に柄６０側の面ファスナー要素６２を、水滴拭き取り具１００の縁取り材５０の一部に重ね合わせて接合する。次に、図１１に示した柄６０に水滴拭き取り具１００を装着した状態の正面視説明図のように、タオル生地１０を横に折り返して余剰の縁取り材５０を柄６０側の面ファスナー要素６２に重ね合わせて接合する。このようにして持ち手６１を有する柄６０に水滴拭き取り具１００を装着しておくと、大形車体のルーフのような手の届かない場所に残っている水滴を楽に拭き取ることができる。
【００３０】
図１では横長矩形のタオル生地１０に４つの袋部２１〜２４を形成した事例を説明したけれども、袋部の数は４つに限定されないことは勿論であり、２つであっても３つであっても、あるいは、５つ以上であってもよい。
【００３１】
図１２は横長矩形のタオル生地１０に２つの袋部２５，２６を形成した水滴拭き取り具１００の平面視説明図である。このものでは、２枚重ねの横長矩形のタオル生地１０に備わっている一方側の長辺部１１と左右両側の短辺部１３，１４とが閉塞され、かつ、左右両側の短辺部１３，１４の中間部の１箇所で２枚重ねのタオル生地１０が短辺部１３，１４に平行な線状の結合部１８によって結合されていることによって、タオル生地１０に、他方側の長辺部１２で開放されてその開放箇所から手を挿入することのできる２つの袋部２５，２６が形成されている。
【００３２】
図１３は図１２の水滴拭き取り具１００の変形例の平面視説明図である。このものでは、２つの袋部２５，２６の横幅を異ならせている点が図２のものと相違している。
【００３３】
図１４は横長矩形のタオル生地１０に３つの袋部２７，２８，２９を形成した水滴拭き取り具１００の平面視説明図である。このものでは、２枚重ねの横長矩形のタオル生地１０に備わっている一方側の長辺部１１と左右両側の短辺部１３，１４とが閉塞され、かつ、左右両側の短辺部１３，１４の中間部の２箇所で２枚重ねのタオル生地１０が短辺部１３，１４に平行な２箇所の線状の結合部１９，２０によって結合されていることによって、タオル生地１０に、他方側の長辺部１２で開放されてその開放箇所から手を挿入することのできる３つの袋部２７，２８，２９が形成されている。図例では、左右２つの袋部２７，２９を等幅とし、中央の袋部２８をそれらよりも広幅に形成している。
【００３４】
図１２〜図１４において、タオル生地１０の一方の長辺部１１での閉塞箇所や、左右両側の短辺部１３，１４での閉塞箇所では図１に示したものと同様の構成が採用されている。
【００３５】
なお、図５や図６などで説明した縫着箇所は、両面粘着テープによる接合構造に変更することも可能である。また、図１〜図１４において、同一又は相応する要素には同一符号を付した。
【符号の説明】
【００３６】
１０  タオル生地
１１  一方側の長辺部
１２  他方側の長辺部
１３，１４  左右両側の短辺部
１５〜２０  線状の結合部
２１〜２９  袋部
３１  ベース地
３２  パイル状の毛足
４１  タオル生地の折り返し箇所
４２〜４６  縫い目（縫着箇所）
５０  縁取り材
６０  柄
６１  持ち手
６２  面ファスナー要素
１００  水滴拭き取り具
【図１】
0003232436.tif 000003
【図２】
0003232436.tif 000004
【図３】
0003232436.tif 000005
【図４】
0003232436.tif 000006
【図５】
0003232436.tif 000007
【図６】
0003232436.tif 000008
【図７】
0003232436.tif 000009
【図８】
0003232436.tif 000010
【図９】
0003232436.tif 000011
【図１０】
0003232436.tif 000012
【図１１】
0003232436.tif 000013
【図１２】
0003232436.tif 000014
【図１３】
0003232436.tif 000015
【図１４】
0003232436.tif 000016